(57)【要約】 【課題】本発明はコンクリート打設時に空気溜りが発生せず、打設コンクリートとの固着性を向上させると共に残存型枠を枠組し段積する時の枠組補強が、任意に且つ簡単に補強することが可能な残存型枠を提供することを目的とする。【解決手段】コンクリート製のプレート本体１内に埋設した補強材３と固着させると共にプレート本体１の裏面1aから突出する多数の突起物２を設け、且つプレート本体１の裏面1aの少なくとも四隅にネジ用締着手段４を設ける構造とする。また前記突起物２として、鉄筋や板材を多数立設しても良く、棒材で山形状に折曲したもの、或いは棒材を波形状に連続して折曲させたものとしても良い。更に前記補強材３として、鉄筋で格子状に形成させ、その縦筋と横筋を同一高さにするのが好ましい。【選択図】図１
2007231686.tif 000002
【特許請求の範囲】
【請求項１】
コンクリート製のプレート本体（１）と、該プレート本体（１）内に補強材（３）を埋設した残存型枠に於いて、前記補強材（３）と固着すると共に前記プレート本体（１）の裏面（1a）から突出する多数の突起物（２）を設け、且つ、前記プレート本体（１）の裏面（1a）の少なくとも四隅にネジ用締着手段（４）を設けたことを特徴とする残存型枠。
【請求項２】
前記突起物（２）が鉄筋であり、それを立設した請求項１記載の残存型枠。
【請求項３】
前記突起物（２）が板材である請求項１記載の残存型枠。
【請求項４】
前記突起物（２）が棒材であり、それが山形状に折曲された請求項１記載の残存型枠。
【請求項５】
前記突起物（２）が千鳥状に突出された請求項１、２、３又は４記載の残存型枠。
【請求項６】
前記突起物（２）が棒材であり、それが波形状に連続して折曲された請求項１記載の残存型枠。
【請求項７】
前記補強材（３）が鉄筋であり、それが格子状に形成され、且つ縦筋と横筋が同一高さである請求項１記載の残存型枠。
【請求項８】
前記補強材（３）が板材であり、それが格子状に形成された請求項１記載の残存型枠。
【発明の詳細な説明】
【技術分野】
【０００１】
本発明はコンクリート製の構造物を施工する際に、そのものが構造物のコンクリート打設用の型枠として枠組され、打設コンクリートが固化後にコンクリート構造物の表面にそのまま残存するタイプの残存型枠に関する。
【背景技術】
【０００２】
従来、コンクリート製の構造物を施工する場合、構造物のコンクリート打設用の型枠として枠組し、打設コンクリートが固化後にコンクリート表面に固着し残存して型枠を取り外すことのないコンクリート製の残存型枠が知られている。この残存型枠を枠組する際に、並べて枠組し段積した残存型枠は上下及び左右の接続を連結金具で固定しながら行っている。この時の残存型枠としては、コンクリート製のプレート本体と、その内部に埋設した補強用の網状体と、該網状体に固着しプレートの裏面から突出する断面Ｌ字状、或いは断面コ字状の一部を突出する溝形鋼から成り、これらの溝形鋼は四角状に枠組されたものである。
【０００３】
特に前記残存型枠が打設コンクリートの固化後に強固に結合されて剥離の恐れを防止する残存型枠としては、本発明者が特開平９−２６０８４号，特開平９−２３７６６７号,特開２００１−２８９５７２などで提案したところである。この特開平９−２６０８４号は、溝形鋼の断面Ｌ字状のＬ字向きを外側に向けたものであり、特開平９−２３７６６７号は、溝形鋼の全周に穴を穿設したものであり、特開２００１−２８９５７２は、溝形鋼の平面に多数のネジ用穴を穿設したものである。
【特許文献１】特開平９−２６０８４号公報
【特許文献２】特開平９−２３７６６７公報
【特許文献３】特開２００１−２８９５７２号公報
【発明の開示】
【発明が解決しようとする課題】
【０００４】
しかしながら特開平９−２６０８４号，特開平９−２３７６６７号,特開２００１−２８９５７２の残存型枠は、プレートの裏面から断面Ｌ字状、或いは断面コ字状の一部を突出する溝形鋼から成り、これらの溝形鋼は外周に沿って四角状に枠組されているため、プレートの中央部や溝形鋼付近で、固化した打設コンクリートと残存型枠との間に空洞を若干生じる恐れがあり、打設コンクリートの固化後、コンクリート構造物の表面からハンマーなどを用い、打撃音を聞いて結合状態が判断される検査を行うと、良好でない異音が発生し、残存型枠の固着性に不安を残す恐れが若干生じるという問題点があった。
【０００５】
本発明はコンクリート打設時に空気溜りが発生せず、打設コンクリートとの固着性を向上させる残存型枠を提供することを目的とする。
【０００６】
本発明の他の目的は残存型枠を枠組し段積する時の補強が、突起物に適宜な固定金具を連結させて任意に且つ容易に行える残存型枠を提供するにある。
【課題を解決するための手段】
【０００７】
本発明は上記問題点に鑑み成されたものであり、つまり、コンクリート製のプレート本体内に埋設した補強材と固着させると共にプレート本体の裏面から突出する多数の突起物を設け、且つプレート本体の裏面の少なくとも四隅にネジ用締着手段を設ける構造とする。また前記突起物として、鉄筋や板材を多数立設しても良く、棒材で山形状に折曲したもの、或いは棒材を波形状に連続して折曲させたものとしても良い。更に前記補強材として、鉄筋で格子状に形成させ、その縦筋と横筋を同一高さにするのが好ましい。
【発明の効果】
【０００８】
請求項１のようにコンクリート製のプレート本体（１）内に埋設した補強材（３）と固着させると共にプレート本体（１）の裏面（1a）から突出する多数の突起物（２）を設けることにより、プレート本体（１）の裏面全体から適宜間隔に突出する突起物（２）が打設コンクリートに食い込まれて一体化を高めると共にコンクリート打設時に空気溜りが出来にくいものとなるので、従来の如き中央部や溝形鋼付近に空洞を生じていた固着不良箇所が殆ど発生する恐れがなくなり、打設コンクリートの構造物との固着性をより向上させる。従って、残存型枠の剥がれにくさが一層向上するものとなる。又、前記プレート本体（１）の少なくとも四隅にネジ用締着手段（４）を設けることにより、プレート本体（１）を枠組し段積する際に、連結金具とネジでもって簡単に連結でき、枠組の作業性が極めて良いものとなる。
【０００９】
請求項２のように突起物（２）に鉄筋を用い、それを立設することにより、プレート本体（１）を枠組し段積する際の補強は必要に応じて、突起物（２）に適宜な固定金具を連結或いは溶接して任意に補強することが簡単に行えると共に請求項１と同様な効果も得られる。
【００１０】
請求項３に示すように突起物（２）に板材を用いることにより、請求項２と同様な効果が得られる。
【００１１】
請求項４に示すように突起物（２）として棒材を山形状に折曲することにより、請求項２と同様な効果が得られる。
【００１２】
請求項５のように突起物（２）を千鳥状に突出することにより、突起物（２）がプレート本体（１）の裏面全体から略等間隔に突出するため、打設コンクリートの構造物との固着性をより一層向上出来るものになると共に、プレート本体（１）を枠組し段積する場合の補強作業は、任意の突起物（２）と連結し易くなるため、その作業が簡単になり、作業効率が良くなる。
【００１３】
請求項６のように突起物（２）として棒材を波形状に連続して折曲することにより、補強材（３）との固定箇所を激減させることが可能となるため、残存型枠を製造する際の作業性が良くなる。
【００１４】
請求項７に示すように補強材（３）として、縦筋と横筋で格子状に形成することにより、従来の網状のものよりもプレート本体（１）の強度が向上するものとなり、且つ補強材（３）の大きさがプレート本体（１）の大きさに応じて簡単に対応可能なものとなる。また縦筋と横筋の高さを同一にすることにより、プレート本体（１）に作用する縦方向と横方向の力に対して同等の強さが確保出来るものとなるため、特にプレート本体（１）の厚さを薄く形成させる場合に適したものとなる。
【００１５】
請求項８に示すように補強材（３）を板材で格子状に形成することにより、プレス加工で板材が加工できるため、加工し易いものとなると共に請求項７と同様な効果が得られる。
【発明を実施するための最良の形態】
【００１６】
図１、図５は本発明の実施形態を示す図であり、この図に基づいて説明する。（１）はコンクリート製のプレート本体であり、該プレート本体（１）は一定の厚さと面積でコンクリートを固化させたプレート状のものであり、前記コンクリートとしては一般のポルトランドセメントに適量の砂等の骨材を混入させ固化したもの、或いは単にレジンコンクリートや特殊シリカセメントだけで固化したもの等を多く使用するが、固化したコンクリートに低粘度のビニール系モノマーを含浸・重合させ、或いはコンクリートに金属短繊維を混入し固化させ、その中に低粘度のビニール系ポリマーを含浸・重合して耐久性及び機械的強度を著しく向上させたものを用いても良い。又、プレート本体（１）の表面は見栄えを良くするために、通常は擬石風などの化粧仕上を施して形成されるが、使用場所によっては化粧仕上が必要ないので化粧仕上をしないこともある。
【００１７】
（２）は後述する補強材（３）と下端を固着すると共にプレート本体（１）の裏面（1a）から突出させて設けた多数の突起物であり、該突起物（２）としては鉄筋を用い、それを千鳥状に立設させているが、前記突起物（２）の配置は千鳥状に限定されるものではない。（３）はプレート本体（１）内に埋設した補強材であり、該補強材（３）は縦筋と横筋で格子状に形成している［図９（ａ）参照］。尚、前記補強材（３）は鉄筋に限定されるものではない。（４）はプレート本体（１）の裏面（1a）の少なくとも四隅に設けたネジ用締着手段であり、該ネジ用締着手段（４）としては、ネジが取付けられるためのタッピンネジ用の下穴やネジ穴などであれば良いが、特には、ネジ用締着手段（４）として、特開２００５−３５４９９９の残存型枠で使用するタッピンネジ用の締着手段、或いは特開２００５−３５５１１０の残存型枠で使用する締着手段、つまり、断面略コの字状の角形取付片の角形締着部側をプレート本体（１）の裏面（1a）から突出させると共にその角形取付部にタッピンネジ用の下穴を穿設するか、ナットを固着した締着手段などを使用するのが好ましい。又、前記ネジ用締着手段（４）の数は、プレート本体（１）の形状や大きさに応じて決められる。
【００１８】
図２〜図４、図６〜図８は本発明の他の実施形態を示す図であり、これは前記実施形態と比べ、プレート本体（１）と補強材（３）及びネジ用締着手段（４）は同じであるが、突起物（２）が異なる。つまり、図２、図６に示す突起物（２）は棒材で山形状に折曲され、両下端は補強材（３）と溶接或いは針金などで緊結させて固着している。この突起物（２）は千鳥状に固着しているが、該突起物（２）の配置は千鳥状に限定されるものではない。又、図３、図７に示す突起物（２）は板材であり、その上部には穴が２つ穿設されており、下部は補強材（３）と溶接で固着されている。この突起物（２）は千鳥状に設けているが、該突起物（２）の配置は千鳥状に限定されるものではなく、且つ前記上部の穴は２つに限定されるものではないと共に穴の形状も丸形に限定されるものではない。更に図４、図８に示す突起物（２）は棒材を波形状に連続して折曲されたものであり、その波形状の下端は補強材（３）と溶接或いは針金などで緊結させて固着している。この突起物（２）は１列毎に設けているが、前記突起物（２）の配置は１列毎に限定されるものではない。
【００１９】
図９は本実施形態の補強材（３）を示す図であり、この図に基づいて説明する。先ず、（ａ）は縦筋と横筋が重ねられて格子状に形成したものであり、これは一般的に行われる。また（ｂ）は縦筋と横筋が同じ高さで格子状に形成したものであり、特に縦方向と横方向の強さが等しくなるので、プレート本体（１）の厚さが薄い場合の製造に適したものとなる。（ｃ）と（ｄ）の場合は板材と鉄筋を組合せて格子状に形成したものであり、（ｃ）の場合は板材の下端に半円状或いはＶ字状などの切欠きを多数設け、その切欠きに鉄筋を配置すると共に適宜に固着すれば簡単に形成できるものとなる。一方、（ｄ）の場合は板材に穴を多数設け、その穴に鉄筋を貫通させて配置すると共に適宜に固着すれば簡単に形成できるものとなる。更に（ｅ）の場合は板材と板材を組合せて格子状に形成したものである。尚、この時の（ｃ）と（ｄ）及び（ｅ）に於いては、板材が使用されているため、プレス加工で簡単に板材の加工が行え、補強材（３）の形成が能率良く出来るものとなる。又、前記補強材（３）としては、鉄板が好ましいが、他の金属板或いは、強度が確保できれば、金属板以外の板材を用いても良い。
【００２０】
次に本発明の使用方法について説明すると、本発明の残存型枠を従来と同様に枠組し段積する。この時、残存型枠を互いに連結すれば良いが、枠組の強度が不安な場合には、プレート本体（１）の裏面（1a）から突出する多数の突起物（２）の適宜位置へ固定金具を適宜に連結或いは溶接して任意に補強すれば、簡単に枠組の強度が確実に確保出来るものとなる。次に前記枠組内に生コンクリートを打設して固化させる。すると、枠組した残存型枠はそのまま打設コンクリートの表面に固着し残存する。この時、プレート本体（１）の裏面（1a）から多数の突起物（２）が突出されているだけであるため、空気溜りは発生しないものとなり、従来の如き若干の空洞を生じる恐れがなくなる。更に前記プレート本体（１）の裏面（1a）から突出した各突起物（２）には、生コンクリートが食い付いて固化されるため、固化した打設コンクリートとプレート本体（１）との固着性が一層向上するものとなるため、打設コンクリートが固化後にコンクリート構造物の表面からハンマーなどが用いられて打撃音を聞けば、良好な結合状態が確認でき、異音の発生の心配は殆どなくなるのである。
【産業上の利用可能性】
【００２１】
本発明は、土木工事や建築工事のコンクリート構造物を施工する際に、打設コンクリートの型枠として使用できると共に構造物の表面の壁面として使用できる。
【図面の簡単な説明】
【００２２】
【図１】本実施形態の突起物が鉄筋である残存型枠の一部欠いた要部拡大横断面図である。
【図２】本実施形態の突起物が山形状に形成された棒材である残存型枠の一部欠いた要部拡大横断面図である。
【図３】本実施形態の突起物が板材である残存型枠の一部欠いた要部拡大横断面図である。
【図４】本実施形態の突起物が連続する波形状に形成された棒材である残存型枠の一部欠いた要部拡大横断面図である。
【図５】本実施形態の突起物が鉄筋である残存型枠の一部欠いた裏面図である。
【図６】本実施形態の突起物が山形状に形成された棒材である残存型枠の一部欠いた裏面図である。
【図７】本実施形態の突起物が板材である残存型枠の一部欠いた裏面図である。
【図８】本実施形態の突起物が連続する波形状に形成された棒材である残存型枠の一部欠いた裏面図である。
【図９】本実施形態の各種補強材に突起物が固着された状態を示す説明図である。
【符号の説明】
【００２３】
１  プレート本体
1a  裏面
２  突起物
３  補強材
４  ネジ用締着手段
【図１】
2007231686.tif 000003
【図２】
2007231686.tif 000004
【図３】
2007231686.tif 000005
【図４】
2007231686.tif 000006
【図５】
2007231686.tif 000007
【図６】
2007231686.tif 000008
【図７】
2007231686.tif 000009
【図８】
2007231686.tif 000010
【図９】
2007231686.tif 000011